(57)【特許請求の範囲】
【請求項１】
被収納物が収納される収納部を開閉するために、機器本体に対し、蓋体外観部をスライドした後、回動自在に組み付けられた蓋体の開閉機構において、
上記蓋体は、
該蓋体が収納部を閉塞した状態においては、上記収納部の開口部付近において被収納物の反収納方向側に対峙して立設される対峙部とこの対峙部の端部から収納方向に延びて収納部の側面に第１支点にて軸支されかつこの収納部の側面に平行に回動される側面板とを有する対峙部材と、対峙部材の反収納方向側にてこの対峙部材にスライド自在に支持されかつその端部にて機器本体に係止される蓋体外観部とを有することを特徴とする蓋体の開閉機構。
【請求項２】
前記収納部の側面に形成された第１支点は、被収納物の厚み寸法内の位置に存在していることを特徴とする請求項１記載の蓋体の開閉機構。
【請求項３】
前記対峙部材は、側面板が対峙部の両端部から収納方向に延びて収納部の両側面に第１支点にて軸支される平面形状略コの字状に形成される一方、
対峙部材の対峙部には、蓋体外観部をスライド自在に支持するスライド支持板がこの対峙部の端部に設けられる第２支点にて回動自在に軸支されていることを特徴とする請求項１又は２記載の蓋体の開閉機構。
【請求項４】
前記スライド支持板には、このスライド支持板に支持されかつ収納された被収納物を押圧する付勢手段が設けられていることを特徴とする請求項３記載の蓋体の開閉機構。
【請求項５】
前記対峙部材は、側面板が対峙部の両端部から収納方向に延びて収納部の両側面に第１支点にて軸支される平面形状略コの字状に形成される一方、
対峙部材の対峙部には、蓋体外観部をスライド自在に支持するスライド支持板がこの対峙部の端部に設けられる第２支点にて回動自在に軸支されており、
前記スライド支持板には、弾性部材が設けられ、
上記スライド支持板は、弾性部材が弾性変形した状態で対峙部に当接される一方、
前記蓋体外観部の機器本体との係止が解除されたときには、弾性部材の弾性変形が解除されてスライド支持板が第２支点にて回動することを特徴とする請求項１記載の蓋体の開閉機構。
【請求項６】
前記収納部の側面に形成された第１支点は、被収納物の厚み寸法内の位置に存在していることを特徴とする請求項５記載の蓋体の開閉機構。
【請求項７】
前記スライド支持板には、このスライド支持板に支持されかつ収納された被収納物を押圧する付勢手段が設けられていることを特徴とする請求項５記載の蓋体の開閉機構。
【請求項８】
前記被収納物は電池であると共に、前記スライド支持板には、このスライド支持板に支持されかつ収納された電池を押圧する金属にてなる付勢手段が設けられ、かつこの付勢手段は、電池の電極端子としての機能を有し、対峙部材が第１支点を中心として回動しない状態を維持しているときにおいて蓋体外観部の機器本体への係止が解除されて蓋体外観部が対峙部材にスライドしたときにも電池に当接していることを特徴とする請求項３，５又は６記載の蓋体の開閉機構。
【発明の詳細な説明】
【０００１】
【発明の属する技術分野】
本発明は、携帯型のカセットプレイヤー、ディスクプレイヤー等の小型の電子機器等に取り付けられる蓋体の開閉機構に関するものであり、特に、これら電子機器等に供される電池の蓋体の開閉機構に関するものである。
【０００２】
【従来の技術】
例えば、図８に示すように、携帯型のカセットプレイヤー、ディスクプレイヤー、ＭＤ装置等の小型の電子機器５０等においては、電源として一般的に充電池が用いられる。このため、本体には充電池を装填するための筒状の電池収納部が設けられ、通常は本体の主面の一部を構成するようにして組み合わされる電池蓋によって閉塞されている。
【０００３】
上記電池蓋は、従来から様々の構造が採用されているが、最近では、図９に示すように、電池収納部の開口部分に設けた支点部５２に回動自在に支持した回動構造の電池蓋５１が主である。
【０００４】
また、電池蓋５１は、図１０（ａ）に示すように、蓋機能と共に端子板としての機能を有するものとなっている。このため、電池蓋５１が完全に閉塞された状態での電源供給が前提条件であり、特に、携帯型の機器においては、本体から簡単に脱落しないような構造とすることが好ましい。したがって、図１０（ｂ）に示すように、電池蓋５１が矢印Ｄ方向に一定量スライドすることで、先端に設けたストッパー機構としての爪５４が外れ、図１０（ｃ）に示すように、回動による開閉自在となる。
【０００５】
また、電池蓋５１は、その開閉操作が簡単に行われて、充電池５３の出し入れが容易である構造とすることが必要である。しかも、携帯型の機器においては、全体として小型でかつ堅牢であることが必須の条件であり、電池蓋５１の開閉機構もこの条件を実現するものでなければならない。
【０００６】
【発明が解決しようとする課題】
しかしながら、上記従来の回動型の電池蓋の開閉機構では、回動の支点部５２を電池収納部の開口部の外側に設ける必要があり、電池蓋５１は充電池５３の外形寸法よりもかなり大型となってしまい、機器の小型化に支障を来す。また、小型化の最大の焦点である薄型化を図るためにも、支点部５２の設置位置は電池収納部の開口部の機器の外側には配置しない。したがって、通常は機器の内側に支点部５２を設定し、そのために、内部スペースに制約が生じていた。
【０００７】
また、回動型の電池蓋では、ストッパー機構としてのスライド移動による蓋体凸部の爪を本体凹部の孔に係止する際のロック機構として、回動部材の金属製の板バネがプラスチック製の電池蓋本体に設けられた突起を乗り越えることによりロック状態を保持させている。しかし、プラスチック製の電池蓋突起には耐久性がなく、数多く電池蓋を開閉しているうちに容易に開くようになり、例えば、機器の使用中にバッグの中で電池蓋が開くこともあり、その都度、使用中の電源供給が断たれることもあった。
【０００８】
本発明は、上記従来の問題点に鑑みなされたものであって、その目的は、開閉操作が簡単であると共に、蓋体のスライドロックが外れ難く、かつ蓋体のスライドロックが外れても直ぐに被収納物が脱落するのを防止し得る一方、機器本体の小型化、薄型化を達成し得る蓋体の開閉機構を提供することにある。
【０００９】
【課題を解決するための手段】
本発明の蓋体の開閉機構は、上記課題を解決するために、被収納物が収納される収納部を開閉するために、機器本体に対してスライドした後、回動自在に組み付けられる蓋体の開閉機構において、上記蓋体は、上記収納部の開口部付近において被収納物の収納方向に対峙して立設される対峙部とこの対峙部の端部から収納方向に延びて収納部の側面に第１支点にて軸支されかつこの収納部の側面に平行に回動される側面板とを有する対峙部材と、対峙部材の対峙部における収納方向外側にてこの対峙部にスライド自在に支持されかつその端部にて機器本体に係止される蓋体外観部とを有することを特徴としている。
【００１０】
上記の発明によれば、蓋体は、被収納物が収納される収納部を開閉するために、機器本体に対してスライドした後、回動自在に組み付けられる。
【００１１】
そして、この蓋体は、収納部の開口部付近において被収納物の収納方向に対峙して立設される対峙部とこの対峙部の端部から収納方向に延びて収納部の側面に第１支点にて軸支されかつこの収納部の側面に平行に回動される側面板とを有する対峙部材と、対峙部材の対峙部における収納方向外側にてこの対峙部にスライド自在に支持されかつその端部にて機器本体に係止される蓋体外観部とを有している。
【００１２】
すなわち、対峙部は収納部の開口部付近において被収納物の収納方向に対峙して立設されており、この対峙部は、この対峙部の端部から収納方向に延びて収納部の側面に第１支点にて軸支されている。さらに、側面板は、収納部の側面に平行に回動される。また、上記第１支点での回動の中心が収納部内にある。したがって、被収納物の収納方向と対峙部の開閉方向とは異なっている。このため、被収納物が飛び出そうとしても、対峙部は立ち塞がるだけで、開くことには寄与しない。このため、蓋体は、容易に開かない。
【００１３】
また、蓋体外観部は、収納方向外側にて対峙部にスライド自在に支持されており、その端部にて機器本体に係止されるものである。すなわち、スイラドロックされるものである。このため、被収納物の収納方向と蓋体外観部の機器本体への係止方向とは異なっている。よって、蓋体外観部は、容易に機器本体への係止が外れない。
【００１４】
この結果、対峙部材及び蓋体外観部のいずれも被収納物の収納方向と開閉方向及び係止方向とが異なっており、蓋体は、機器本体から開かない。
【００１５】
また、開閉に際しては、蓋体外観部をスライドして端部における機器本体への係止を解除し、次いで、蓋体外観部及び対峙部材からなる蓋体の全体を、第１支点を中心として回動すれば良いだけである。
【００１６】
したがって、開閉操作が簡単であると共に、蓋体のスライドロックが外れ難く、かつ蓋体のスライドロックが外れても直ぐに被収納物が脱落するのを防止し得る蓋体の開閉機構を提供することができる。
【００１７】
本発明の蓋体の開閉機構は、上記課題を解決するために、上記記載の蓋体の開閉機構において、前記収納部の側面に形成された第１支点は、被収納物の厚み寸法内の位置に存在していることを特徴としている。
【００１８】
すなわち、蓋体は第１支点を中心として回動して開閉するものであるが、この第１支点の位置が被収納物の厚み寸法から外側へ離れるに伴って、第１支点と被収納物が押圧する対峙部との距離が大きくなり、回転モーメントが大きくなり、対峙部が回動し易くなる。このことは、蓋体が開き易くなることを意味する。
【００１９】
しかし、本発明では、収納部の側面に形成された第１支点は、被収納物の厚み寸法内の位置に存在しているので、回転モーメントを小さく抑えることができ、蓋体が容易に開くのを防止することができる。
【００２０】
また、回転中心となる第１支点を被収納物の厚み寸法外の位置に設けたのでは機器本体が大きくなるが、本発明では、第１支点を被収納物の厚み寸法内の位置に設けているので、機器本体の小型化を図ることができる。
【００２１】
この結果、蓋体のスライドロックが外れ難く、かつ蓋体のスライドロックが外れても直ぐに被収納物が脱落するのを防止し得る一方、機器本体の小型化、薄型化を達成し得る蓋体の開閉機構を提供することができる。
【００２２】
本発明の蓋体の開閉機構は、上記課題を解決するために、上記記載の蓋体の開閉機構において、前記対峙部材の対峙部には、この対峙部に支持されかつ収納された被収納物を押圧する付勢手段が設けられていることを特徴としている。
【００２３】
すなわち、被収納物が対峙部材の対峙部を押圧している状態であれば、上述したように、被収納物の収納方向と蓋体の回動方向とが異なっているので、蓋体のスライドロックが外れても容易に蓋体は開かないが、対峙部材の対峙部と被収納物とが接触していないときには、場合によっては、蓋体のスライドロックが外れたときに容易に蓋体が回動して蓋体が開くおそれがある。
【００２４】
しかし、本発明では、対峙部材の対峙部には、この対峙部に支持されかつ収納された被収納物を押圧する付勢手段が設けられている。このため、付勢手段は常時被収納物を押圧している。この結果、蓋体のスライドロックが外れても容易に蓋体は開くことはない。
【００２５】
また、付勢手段は常時被収納物を押圧することによって、蓋体外観部のスライドに対して抵抗となるので、蓋体のスライドロックが容易に外れるのを防止することができる。
【００２６】
なお、被収納物を押圧しているのは付勢手段であるため、蓋体を第１支点を中心にして回動するときには、付勢手段の付勢力に抗して回動することにより蓋体を容易に開けることができるので、付勢手段が回動の大きな障害になるということはない。
【００２７】
この結果、開閉操作が簡単であると共に、蓋体のスライドロックが外れ難く、かつ蓋体のスライドロックが外れても被収納物が直ぐに脱落するのを防止し得る蓋体の開閉機構を提供することができる。
【００２８】
本発明の蓋体の開閉機構は、上記課題を解決するために、上記記載の蓋体の開閉機構において、前記対峙部材は、側面板が対峙部の両端部から収納方向に延びて収納部の両側面に第１支点にて軸支される平面形状略コの字状に形成される一方、対峙部材の対峙部には、蓋体外観部をスライド自在に支持するスライド支持板がこの対峙部の端部に設けられる第２支点にて回動自在に軸支されていることを特徴としている。
【００２９】
上記の発明によれば、対峙部材は、側面板が対峙部の両端部から収納方向に延びて収納部の両側面に第１支点にて軸支される平面形状略コの字状に形成される。
【００３０】
すなわち、対峙部材は、収納部の両側面に第１支点にて軸支される。このため、被収納物が対峙部を押圧したとしても、対峙部材は強度的に強いものとなっているので、対峙部を撓みを防止することができる。このため、蓋体外観部のスライドロックが容易に外れるのを防止することができる。
【００３１】
特に、蓋体外観部を樹脂にて形成した場合には、蓋体の開閉の繰り返しにより、樹脂が劣化して係止が外れ易くなるので、上記の効果が大きい。したがって、耐久性の点でも優れた蓋体の開閉機構を提供することができる。
【００３２】
また、蓋体外観部をスライド自在に支持するスライド支持板は、この対峙部の端部に設けられる第２支点にて回動自在に軸支されている。
【００３３】
これによって、蓋体を第１支点を中心として開ける際に、蓋体外観部を第２支点を中心として回動することができるので、蓋体を最大に開けたときに、蓋体外観部が機器本体に接触するのを防止することができる。
【００３４】
また、上記のように、付勢手段が被収納物を押圧している状態においては、付勢手段をスライド支持板に取り付けておくことによって、蓋体外観部のスライドロックが外れたときに、スライド支持板が第２支点を中心として回動することにより、付勢手段が収納方向外方に移動し、付勢手段の被収納物への付勢力が低減する。このため、蓋体を付勢手段の付勢力に抗して開ける場合に、容易に開けることができる。
【００３５】
本発明の蓋体の開閉機構は、上記課題を解決するために、上記記載の蓋体の開閉機構において、前記スライド支持板には、弾性部材が設けられ、蓋体が収納部を閉塞した状態においては、上記スライド支持板は、弾性部材が弾性変形した状態で対峙部に当接される一方、前記蓋体外観部の機器本体との係止が解除されたときには、弾性部材の弾性変形が解除されてスライド支持板が第２支点にて回動することを特徴としている。
【００３６】
上記の発明によれば、スライド支持板には、弾性部材が設けられ、蓋体が収納部を閉塞した状態においては、上記スライド支持板は、弾性部材が弾性変形した状態で対峙部に当接される一方、前記蓋体外観部の機器本体との係止が解除されたときには、弾性部材の弾性変形が解除されてスライド支持板が第２支点にて回動する。
【００３７】
このため、蓋体外観部のスライドロックが外れたときには、弾性部材によって、スライド支持板が第２支点にて直ちに回動し、このスライド支持板と一体になっている蓋体外観部も直ちに回動する。
【００３８】
したがって、蓋体を第１支点を中心として開ける際に、蓋体外観部を第２支点を中心として必ず回動することができるので、蓋体を最大に開けたときに、蓋体外観部が機器本体に接触するのを確実に防止することができる。
【００３９】
本発明の蓋体の開閉機構は、上記課題を解決するために、上記記載の蓋体の開閉機構において、前記被収納物は電池であると共に、対峙部材の対峙部には、この対峙部に支持されかつ収納された電池を押圧する金属にてなる付勢手段が設けられ、かつこの付勢手段は、電池の電極端子としての機能を有し、対峙部材が第１支点を中心として回動しない状態を維持しているときにおいて蓋体外観部の機器本体への係止が解除されて蓋体外観部が対峙部にスライドしたときにも電池に当接していることを特徴としている。
【００４０】
上記の発明によれば、被収納物は電池である。これによって、蓋体外観部を対峙部に対してスライド操作して機器本体への係止を解除し、次いで、蓋体外観部及び対峙部材を第１支点を中心として回動させることによって、閉塞されていた収納部が開放される。
【００４１】
したがって、電池としての例えば充電池が収納される電池収納部を構成する収納部からの充電池の取り出し操作、挿入操作を簡単に行うことができる。
【００４２】
また、対峙部材の対峙部には、この対峙部に支持されかつ収納された電池を押圧する金属にてなる付勢手段が設けられる。この付勢手段は、電池の電極端子としての機能を有し、対峙部材が第１支点を中心として回動しない状態を維持しているときにおいて蓋体外観部の機器本体への係止が解除されて蓋体外観部が対峙部にスライドしたときにも電池に当接している。
【００４３】
このため、万一、蓋体外観部の機器本体へのスライドロックが外れても、付勢手段は充電池を押圧し続けており、電極端子と充電池との接触を保持することができる。
【００４４】
この結果、開閉操作が簡単であると共に、蓋体のスライドロックが外れ難く、かつ蓋体のスライドロックが外れても直ぐに電池が脱落するのを防止し得る一方、機器本体の小型化、薄型化を達成し得る蓋体の開閉機構を提供することができる。
【００４５】
また、蓋体のスライドロックが外れても電源供給は断たれないので、携帯型機器における電池蓋等に採用して、信頼性の向上を図り得る好適な蓋体の開閉機構を提供することができる。
【００４６】
【発明の実施の形態】
本発明の実施の一形態について図１ないし図７に基づいて説明すれば、以下の通りである。
【００４７】
本実施の形態の蓋体の開閉機構が適用される装置は、例えば、ミニディスクを再生又は録音可能とする携帯型ＭＤプレーヤー又は携帯型ＭＤレコーダーである。上記の携帯型ＭＤプレーヤーは再生専用機であり、携帯型ＭＤレコーダーは再生・録音可能機である。ここでは、携帯型ＭＤレコーダーへの適用を例示する。
【００４８】
なお、装置は、必ずしもこれら携帯型ＭＤプレーヤー又は携帯型ＭＤレコーダーに限らず、他の機器でも良い。
【００４９】
上記の携帯型ＭＤレコーダー１は、図２に示すように、機器本体２に各種の操作ボタン３と表示部４とが配置されると共に、図示しないミニディスクを装着し又は取り出すための開閉装置であるディスク装着蓋５が、取出しツマミ６により開閉するように設けられている。
【００５０】
この携帯型ＭＤレコーダー１における充電池の収納部は、ディスク挿入側より反対側に設けられ、機器本体２のサイズが大きくならないように配置されている。
【００５１】
すなわち、図３に示すように、被収納物及び電池としての充電池２０は、電池収納部の開口部を閉塞している蓋体としての電池蓋１０を開放操作することによって、出し入れされる。
【００５２】
この電池蓋１０は、最も外側に断面略Ｌ字状に形成された蓋体外観部１１を有している。この蓋体外観部１１は、機器本体２の主面の一部を構成するものであり、機器本体２の外観部である本体キャビネット８と同質の樹脂材によって、開口部と同形、同寸の外形形状に成形されている。
【００５３】
本実施の形態では、この電池蓋１０は、図４に示すように、収納部としての電池収納部を構成する本体フレーム７に軸支される対峙部材１２と、この対峙部材１２に軸支されるスライド支持板１３と、このスライド支持板１３に支持されかつその上端部にて機器本体２の上記本体キャビネット８に係止される蓋体外観部１１とを有している。
【００５４】
上記本体フレーム７は、金属からなっており、収納部天板７ａとこの収納部天板７ａの先端端部縁から両側面に垂下される側面としての収納部側壁７ｂ・７ｂとからなっている。これら収納部側壁７ｂ・７ｂには、上記対峙部材１２を軸支するための第１支点としての第１軸穴７ｃ・７ｃが形成されている。また、上記第１軸穴７ｃ・７ｃの周りには、円弧状案内穴７ｄ・７ｄが１／４の円弧状にそれぞれ形成されている。これら円弧状案内穴７ｄ・７ｄには、後述する対峙部材１２の突起１２ｄ・１２ｄが嵌まりこむようになっており、これによって、対峙部材１２が第１軸穴７ｃ・７ｃを中心として回動する際に、その回動を支持案内するものとなっている。
【００５５】
上記対峙部材１２は、本体フレーム７の開口部付近において上記充電池２０の収納方向に対峙して立設される対峙部としての対峙板１２ａとこの対峙板１２ａの両端部から収納方向に延びて上記本体フレーム７の収納部側壁７ｂ・７ｂにおける第１軸穴７ｃ・７ｃに第１支点としての第１軸１２ｃ・１２ｃにて軸支される側面板としての対峙部材側面板１２ｂ・１２ｂとを有している。なお、これら第１軸１２ｃ・１２ｃと第１軸穴７ｃ・７ｃとの凹凸の関係は、必ずしもこれに限らず、逆であっても良い。すなわち、本体フレーム７の収容部側壁７ｂ・７ｂに突出する軸を設ける一方、対峙部材側面板１２ｂ・１２ｂに軸穴を穿設しても良い。
【００５６】
また、上記対峙板１２ａと対峙部材側面板１２ｂ・１２ｂとは、平面形状が略コの字状に形成されている（図７参照）。なお、上記においては、側面板は対峙板１２ａの両端部から収納方向に延びて平面形状が略コの字状としているが、本発明においては、必ずしもこれに限らず、一端のみから収納方向に延びる片方の対峙部材側面板１２ｂのみとする平面形状略Ｌの字状に形成することも可能である。
【００５７】
上記対峙部材側面板１２ｂ・１２ｂにおける第１軸１２ｃ・１２ｃの周りは円形に形成されており、前述したように、その縁部には本体フレーム７の収納部側壁７ｂ・７ｂにおける円弧状案内穴７ｄ・７ｄに挿入される突起１２ｄ・１２ｄがそれぞれ形成されている。
【００５８】
また、対峙部材側面板１２ｂ・１２ｂにおける第１軸１２ｃ・１２ｃとは反対の端部には第２支点としての第２軸１２ｅ・１２ｅがそれぞれ形成されており、これら第２軸１２ｅ・１２ｅは、スライド支持板１３に形成された第２支点としての第２軸穴１３ａ・１３ａに回動自在に軸支されるようになっている。なお、これら第２軸１２ｅ・１２ｅと第２軸穴１３ａ・１３ａとの凹凸の関係についても、必ずしもこれに限らず、逆であっても良い。すなわち、スライド支持板１３に突出する軸を設ける一方、対峙部材側面板１２ｂ・１２ｂに軸穴を穿設しても良い。
上記スライド支持板１３は、略中央部に片持ち梁部１３ｂが形成されており、この片持ち梁部１３ｂの自由端には、充電池２０の収納方向に略Ω字状に突出する付勢手段としてのΩ字付勢部１３ｃが形成されている。このΩ字付勢部１３ｃは、前記対峙部材１２における対峙板１２ａに形成されたΩ字付勢部用開口１２ｆを通して充電池２０の後述するマイナス凹型電極端子２２に付勢状態に当接されるようになっている。すなわち、スライド支持板１３は、金属にて形成されているので、片持ち梁部１３ｂの自由端に設けられたΩ字付勢部１３ｃが充電池２０のマイナス凹型電極端子２２に押圧状態に当接されることによって、Ω字付勢部１３ｃはそのΩ字が少し開いた状態となる。このため、Ω字付勢部１３ｃはバネ性を有するものとなり、付勢手段としての機能を果たすものとなっている。
【００５９】
また、スライド支持板１３には、上記片持ち梁部１３ｂとは、異なる場所に形成される弾性部材としてのバネ部１３ｄが設けられている。このバネ部１３ｄは、スライド支持板１３において上記片持ち梁部１３ｂとは直交するように片持ち梁状に設けられていると共に、このバネ部１３ｄの片持ち梁は固定端にて折曲され、かつ自由端側が上記Ω字付勢部１３ｃの突出方向と同じ方向、つまり対峙板１２ａ側に持ち上がっている。
【００６０】
このバネ部１３ｄは、上記対峙部材１２の対峙板１２ａの裏面に当接されるようになっている。そして、蓋体外観部１１が閉じた状態のときには、スライド支持板１３は対峙部材１２の対峙板１２ａに当接されるので、このバネ部１３ｄは弾性変形した状態で対峙板１２ａに当接される。また、後述するように、蓋体外観部１１の機器本体２との係止が解除されたときには、バネ部１３ｄの弾性変形が解除される状態となるので、スライド支持板１３が第２軸１２ｅ・１２ｅを中心として回動するものとなっている（図１（ｃ）参照）。
【００６１】
このようにしたのは、スライド支持板１３を第２軸１２ｅ・１２ｅを中心に回動させることなく、電池蓋１０を第１軸１２ｃ・１２ｃを中心としてそのまま回動させると、Ω字付勢部１３ｃが充電池２０のマイナス凹型電極端子２２・２２の段差部に食い込むおそれがある。また、蓋体外観部１１の下部も本体キャビネット８の下部に接触するおそれもある。そこで、本実施の形態では、バネ部１３ｄにてスライド支持板１３を強制的に第２軸１２ｅ・１２ｅを中心に回動させることにより、電池蓋１０における回動時の充電池２０等との干渉を防止又は低減させるようになっているものである。
【００６２】
また、上記のスライド支持板１３には、上部に係止爪部１３ｅ・１３ｅが例えば２箇所に形成されており、これら係止爪部１３ｅ・１３ｅは、上記対峙部材１２における対峙板１２ａの上端に形成された被係止部１２ｈ・１２ｈを係止することにより、スライド支持板１３の第２軸１２ｅ・１２ｅを中心とした回動を一定角度に規制するために、フック状に垂下されている。
【００６３】
また、上記のスライド支持板１３には、下部つまりバネ部１３ｄの自由端側にバネ部１３ｄやΩ字付勢部１３ｃの突出方向と同じ方向にくの字状に突出したくの字突出部１３ｆが同様に片持ち梁状に、前記片持ち梁部１３ｂと同方向に形成されている。
【００６４】
このくの字突出部１３ｆは、蓋体外観部１１の内側面に当接される一方、蓋体外観部１１の内側面に形成された山部１１ａに山越え可能となっている。これによって、蓋体外観部１１をスライド支持板１３に対してスライドしたときに、くの字突出部１３ｆが山部１１ａを越えるか否かによって、スライド状態がロックされるか否かの状態となる。すなわち、蓋体外観部１１が本体キャビネット８に係止されているときには、図５（ａ）に示すように、くの字突出部１３ｆが山部１１ａよりも下側位置となって蓋体外観部１１のスライド支持板１３に対するスライドがロックされて蓋体外観部１１における係止凸部１１ｃ・１１ｃの後述する本体キャビネット８の係止凹部８ａ・８ａへの係止が容易に解除されないようになる一方、蓋体外観部１１をスライドさせるときには、図５（ｂ）に示すように、くの字突出部１３ｆが山部１１ａを乗り越える力を加えることにより、くの字突出部１３ｆが山部１１ａを越えて蓋体外観部１１の係止凸部１１ｃ・１１ｃと本体キャビネット８の係止凹部８ａ・８ａとの係止が解除されるようになっている。
【００６５】
なお、上述したスライド支持板１３及び前記対峙板１２ａは、本発明の対峙部としての機能を有している。
【００６６】
一方、上記の蓋体外観部１１は、図４に示すように、その内側面において、両端側にスライド支持用爪１１ｂ・１１ｂを有しており、これらスライド支持用爪１１ｂ・１１ｂにて上記スライド支持板１３の両端部を保持するので、蓋体外観部１１がスライド支持板１３に対してスライド自在に摺動できるようになっている。
【００６７】
また、蓋体外観部１１は、上端縁に係止凸部１１ｃ・１１ｃを有しており、これら係止凸部１１ｃ・１１ｃは、図６及び図１（ｂ）等に示すように、蓋体外観部１１がスライド支持板１３に対して上向きにスライドしたときに、本体キャビネット８の係止凹部８ａ・８ａに係止されるようになっている。
【００６８】
さらに、蓋体外観部１１の下部には、図４に示すように、内側密着用凸部１１ｄが形成されており、この内側密着用凸部１１ｄは、図１（ａ）に示すように、蓋体外観部１１が上向きにスライドして、上端部の係止凸部１１ｃが本体キャビネット８の係止凹部８ａに係止されたときに、その下部において、対峙板１２ａの対峙板被係止部１２ｇに係止されるようになっている。このため、蓋体外観部１１が閉じているときには、スライド支持板１３と対峙板１２ａとが密着された状態に保持されるようになっている。
【００６９】
一方、上記本体フレーム７の奥部には、図７に示すように、周知の如く、２つの電池バネ７ｅ・７ｅが端部から中央に向かって張り出して設けられており、これら電池バネ７ｅ・７ｅの先端が、充電池２０から突出するプラス凸型電極端子２１に押圧状態に当接するようになっている。
【００７０】
また、充電池２０においては、プラス凸型電極端子２１とは反対側にマイナス凹型電極端子２２・２２が２ヵ所に凹状に形成されている。そして、これらマイナス凹型電極端子２２・２２のうち一か所のマイナス凹型電極端子２２に前記スライド支持板１３のΩ字付勢部１３ｃが当接されるようになっている。
【００７１】
また、本体フレーム７の左側面には、つまり機器本体２の内側には、図示しない機器回路に接続される板バネ端子板７ｆが内部基板に半田付け等により固定されていると共に、この板バネ端子板７ｆの他端は、対峙部材１２の対峙部材側面板１２ｂ・１２ｂに板厚方向にバネ圧にて圧接されている。これにより、対峙部材１２を閉じたときに、充電池２０のマイナス凹型電極端子２２からΩ字付勢部１３ｃ、スライド支持板１３、対峙部材側面板１２ｂ、板バネ端子板７ｆを経て図示しない機器回路に電源の供給が可能となっている。なお、これら電極として使用される部材は、金属材料であると共に、導電率を高くするために例えば固有抵抗値の低い金メッキ等が施されている。
【００７２】
また、この携帯型ＭＤレコーダー１の電源は、この充電池２０だけでなく、周知のＡＣアダプターやカーバッテリーとの接続が可能となっているものである。
【００７３】
上記構成を有する蓋体の開閉機構における開閉動作について説明する。
【００７４】
先ず、図１（ａ）に示すように、充電池２０が収納され、電気的に接続された状態に電池蓋１０が閉じられているときには、蓋体外観部１１はスライド支持板１３の上側位置にスライドしており、これによって、蓋体外観部１１の係止凸部１１ｃ・１１ｃが本体キャビネット８の係止凹部８ａに係止されている。
【００７５】
このとき、蓋体外観部１１の下部では、内側密着用凸部１１ｄが対峙部材１２における対峙板１２ａの下端に形成された対峙板被係止部１２ｇに係止されており、これによって、蓋体外観部１１と一体になっているスライド支持板１３は蓋体外観部１１の係止凸部１１ｃ・１１ｃが本体キャビネット８の係止凹部８ａ・８ａに係止されたときには、その下部において、対峙板１２ａの対峙板被係止部１２ｇに係止されるようになっている。また、この結果、スライド支持板１３はバネ部１３ｄの弾性力に抗して第２軸１２ｅ・１２ｅを中心に回転し対峙板１２ａと密着された状態を保つようになっている。
【００７６】
このとき、図７に示すように、充電池２０は電池バネ７ｅ・７ｅによって蓋体外観部１１側に付勢されており、これによって、蓋体外観部１１は外側に飛び出すような圧力を受けることになる。
【００７７】
しかし、本実施の形態では、対峙部材１２が対峙板１２ａと対峙部材側面板１２ｂ・１２ｂとによって平面形状略コの字状に形成されていると共に、対峙部材側面板１２ｂ・１２ｂの第１軸１２ｃ・１２ｃにて両端で支持されているので、図１（ａ）に示すように、この押圧力は対峙部材１２にて受け止められる。このため樹脂製の蓋体外観部１１の係止凸部１１ｃ・１１ｃにかかる負荷が軽減される。したがって、蓋体外観部１１の変形が従来に比べて防止されるものとなっている。
【００７８】
また、この蓋体外観部１１の係止凸部１１ｃ・１１ｃが本体キャビネット８の係止凹部８ａ・８ａに係止されて閉じた状態となっているときには、図５（ａ）に示すように、上記スライド支持板１３のくの字突出部１３ｆが蓋体外観部１１の山部１１ａの下側位置となっている。このため、蓋体外観部１１の下方移動がこの山部１１ａによってロックされた状態となっているので、蓋体外観部１１の係止凸部１１ｃ・１１ｃが本体キャビネット８の係止凹部８ａ・８ａから容易に外れることがない。
【００７９】
次に、この蓋体外観部１１が閉じられた状態から、蓋体外観部１１を開けるためには、蓋体外観部１１の外側から指で押圧して蓋体外観部１１を矢印Ａ方向に下方移動させる。これによって、図５（ｂ）に示すように、スライド支持板１３のくの字突出部１３ｆが蓋体外観部１１の山部１１ａを越えるので、図１（ｂ）に示すように、蓋体外観部１１は、上部おいては本体キャビネット８の係止凹部８ａ・８ａとの係止が解除される一方、下部においては、内側密着用凸部１１ｄと対峙板１２ａの対峙板被係止部１２ｇとのロックが解除される。
【００８０】
このように上記各係止が解除されると、図１（ｃ）に示すように、スライド支持板１３におけるバネ部１３ｄのバネ力によって、スライド支持板１３は第２軸１２ｅを中心として本体キャビネット８から離れる方向、つまり矢印Ｂ方向に回転し、これによって、スライド支持板１３に一体となっている蓋体外観部１１も同様に回動する。
【００８１】
このときにおいても、スライド支持板１３のΩ字付勢部１３ｃは充電池２０における凹状に形成されたマイナス凹型電極端子２２に接触している。
【００８２】
すなわち、本実施の形態では、万一、蓋体外観部１１の係止凸部１１ｃ・１１ｃと本体キャビネット８の係止凹部８ａ・８ａとの係合が外れて、図１（ｃ）に示す蓋体外観部１１が少し開いた状態になっても、マイナス凹型電極端子２２とΩ字付勢部１３ｃとが接触していることによって、電気的接続は維持されるものとなっている。
【００８３】
ここで、本実施の形態では、電池蓋１０の主たる回動中心となる第１軸１２ｃ・１２ｃが取り付けられる位置は、充電池２０の厚さ寸法内となっている。このため、蓋体外観部１１のスライドロックが外れても、電池蓋１０は第１軸１２ｃの周りに容易には回転しないものとなっている。すなわち、例えば、第１軸１２ｃを充電池２０の厚さ寸法外とした場合には、充電池２０の押圧力の作用点と第１軸１２ｃとの間の距離が大きくなり、回転モーメントが大きくなるので、電池蓋１０が第１軸１２ｃを中心として回転し易くなる。例えば、前記の従来の技術における図９に示すように、支点部５１が充電池５２の収納方向延長面の外部に有る場合には、電池蓋５０が開き易い構造となっているといえる。
【００８４】
これに対して、本実施の形態では、上述のように、第１軸１２ｃ・１２ｃの取り付けられる位置が、充電池２０の厚さ寸法内となっているので、蓋体外観部１１が回転し難いものとなっている。
【００８５】
次に、この状態から蓋体外観部１１の下方への押圧を継続すると、蓋体外観部１１及びΩ字付勢部１３ｃを含む電池蓋１０は、図１（ｄ）に示すように、本体フレーム７の収納部側壁７ｂにおける第１軸穴７ｃに通された第１軸１２ｃを中心として矢印Ｃ方向に回動し、図１（ｅ）に示すように、本体キャビネット８の底側に潜り込むように回動する。
【００８６】
ここで、上記の電池蓋１０が第１軸１２ｃを中心として本体キャビネット８の底側に潜り込むに際して、Ω字付勢部１３ｃは、充電池２０のマイナス凹型電極端子２２に摺動しながらやがてマイナス凹型電極端子２２から離れて充電池２０の電気的接続が解除され、これにより、充電池２０から図示しない機器回路への電源供給は断たれる。また、Ω字付勢部１３ｃは凹部段差を経て回動し、やがて本体キャビネット８の底側に潜り込む。
【００８７】
このとき、本実施の形態では、Ω字付勢部１３ｃが取り付けられているスライド支持板１３は、第２軸１２ｅ・１２ｅを中心に回動し、Ω字付勢部１３ｃも充電池２０の収納方向外方へ移動する。このため、Ω字付勢部１３ｃはマイナス凹型電極端子２２・２２に接触した状態ではあるが、その付勢力が弱まることになる。この結果、第２軸１２ｅを設けることなく電池蓋１０を回転させるよりも、回動操作が行い易いものとなっている。
【００８８】
さらに、本実施の形態では、蓋体外観部１１を断面略Ｌ字状に形成することによって、底側の本体キャビネット８の開口部寸法を、Ω字付勢部１３ｃの回転軌跡から離れる位置に設定している。これによって、電池蓋１０が回動するときに、底側の本体キャビネット８に接触することなく回動でき、ひっかりや、こじれによる傷つきを防止することができる。
【００８９】
また、電池蓋１０の回動範囲、つまり対峙板１２ａの回動範囲は、図１（ａ）（ｂ）に示すように、本体キャビネット８の係止凹部８ａ・８ａに蓋体外観部１１の係止凸部１１ｃ・１１ｃが係止されて本体キャビネット８に蓋体外観部１１が密着した状態から、図１（ｅ）に示すように、対峙部材１２が第１軸１２ｃを中心に約９０°回転した状態までである。すなわち、収納部側壁７ｂにおける円弧状案内穴７ｄの上側端部７ｅに、対峙部材側面板１２ｂの突起１２ｄが当接し、ストッパーとして働く。また、約９０°回転することにより、充電池２０が取出し及び挿入可能となるように電池収納部を開口することができる。
【００９０】
このような電池蓋１０の開操作によって、携帯型ＭＤレコーダー１の電源である充電池２０は、電池蓋１０を開いた状態において、容易に出し入れ可能となる。
【００９１】
なお、電池蓋１０を閉じるときには、上記と逆の動作を行えば良い。
【００９２】
このように、本実施の形態の蓋体の開閉機構では、電池蓋１０は、充電池２０が収納される本体フレーム７を開閉するために、機器本体２に対してスライドした後、回動自在に組み付けられる。
【００９３】
そして、この電池蓋１０は、本体フレーム７の開口部付近において充電池２０の収納方向に対峙して立設される対峙板１２ａ及びスライド支持板１３とこの対峙板１２ａの端部から収納方向に延びて本体フレーム７の収納部側壁７ｂ・７ｂに第１軸１２ｃ・１２ｃにて軸支されかつこの収容部側壁７ｂ・７ｂに平行に回動される対峙部材側面板１２ｂ・１２ｂとを有する対峙部材１２と、対峙部材１２のスライド支持板１３における収納方向外側にてこのスライド支持板１３にスライド自在に支持されかつその端部にて機器本体２に係止される蓋体外観部１１とを有している。
【００９４】
すなわち、対峙板１２ａ及びスライド支持板１３は、本体フレーム７の開口部付近において充電池２０の収納方向に対峙して立設されており、この対峙板１２ａは、対峙板１２ａの端部から収納方向に延びて収容部側壁７ｂ・７ｂに第１軸１２ｃ・１２ｃにて軸支されている。さらに、対峙部材側面板１２ｂ・１２ｂは、収容部側壁７ｂ・７ｂに平行に回動される。
【００９５】
したがって、充電池２０の収納方向と対峙板１２ａ及びスライド支持板１３の開閉方向とは直交しており異なっている。このため、充電池２０が飛び出そうとしても、対峙板１２ａ及びスライド支持板１３は立ち塞がるだけで、開くことには寄与しない。このため、電池蓋１０は、容易に開かない。
【００９６】
また、蓋体外観部１１は、収納方向外側にてスライド支持板１３にスライド自在に支持されており、その端部の係止凸部１１ｃ・１１ｃにて機器本体２における本体キャビネット８の係止凹部８ａ・８ａに係止されるものである。すなわち、スライドロックされるものである。このため、充電池２０の収納方向と蓋体外観部１１の本体キャビネット８の係止凹部８ａ・８ａへの係止方向とは同様に直交しており異なっている。よって、蓋体外観部１１は、容易に本体キャビネット８の係止凹部８ａ・８ａへの係止が外れない。
【００９７】
この結果、対峙部材１２及び蓋体外観部１１のいずれも充電池２０の収納方向と開閉方向及び係止方向とが異なっており、電池蓋１０は機器本体２から開かない。
【００９８】
また、開閉に際しては、蓋体外観部１１をスライドして係止凸部１１ｃ・１１ｃにおける本体キャビネット８の係止凹部８ａ・８ａへの係止を解除し、次いで、蓋体外観部１１及び対峙部材１２からなる電池蓋１０の全体を、第１軸１２ｃ・１２ｃを中心として回動すれば良いだけである。
【００９９】
したがって、開閉操作が簡単であると共に、電池蓋１０のスライドロックが外れ難く、かつ電池蓋１０のスライドロックが外れても直ぐに充電池２０が脱落するのを防止し得る電池蓋１０の開閉機構を提供することができる。
【０１００】
一方、電池蓋１０は第１軸１２ｃ・１２ｃを中心として回動して開閉するものであるが、この第１軸１２ｃ・１２ｃの位置が充電池２０の厚み寸法から外側へ離れるに伴って、第１軸１２ｃ・１２ｃと充電池２０が押圧する対峙板１２ａ及びスライド支持板１３との距離が大きくなり、回転モーメントが大きくなり、対峙板１２ａ及びスライド支持板１３が回動し易くなる。このことは、電池蓋１０が開き易くなることを意味する。
【０１０１】
しかし、本実施の形態では、本体フレーム７の収容部側壁７ｂ・７ｂに形成された第１軸穴７ｃ・７ｃは、充電池２０の厚み寸法内の位置に存在しているので、回転モーメントを小さく抑えることができ、電池蓋１０が容易に開くのを防止することができる。
【０１０２】
また、回転中心となる第１軸穴７ｃ・７ｃを充電池２０の厚み寸法外の位置に設けたのでは、機器本体２が大きくなるが、本実施の形態では、第１軸穴７ｃ・７ｃを充電池２０の厚み寸法内の位置に設けているので、機器本体２の小型化を図ることができる。
【０１０３】
この結果、電池蓋１０のスライドロックが外れ難く、かつ電池蓋１０のスライドロックが外れても直ぐに充電池２０が脱落するのを防止し得る一方、機器本体２の小型化、薄型化を達成し得る電池蓋１０の開閉機構を提供することができる。
【０１０４】
一方、充電池２０が対峙部材１２の対峙板１２ａ及びスライド支持板１３を押圧している状態であれば、上述したように、充電池２０の収納方向と電池蓋１０の回動方向とが異なっているので、蓋体外観部１１のスライドロックが外れても容易に電池蓋１０は開かないが、対峙部材１２の対峙板１２ａと充電池２０とが接触していないときには、場合によっては、蓋体外観部１１のスライドロックが外れたときに容易に電池蓋１０が回動して電池蓋１０が開くおそれがある。
【０１０５】
しかし、本実施の形態では、スライド支持板１３には、このスライド支持板１３に支持されかつ収納された充電池２０を押圧するΩ字付勢部１３ｃが設けられている。このため、スライド支持板１３は常時充電池２０を押圧している。この結果、電池蓋１０のスライドロックが外れても容易に電池蓋１０は開くことはない。
【０１０６】
また、Ω字付勢部１３ｃは常時充電池２０を押圧することによって、蓋体外観部１１のスライドに対して抵抗となるので、電池蓋１０のスライドロックが容易に外れるのを防止することができる。
【０１０７】
なお、充電池２０を押圧しているのはΩ字付勢部１３ｃであるため、電池蓋１０を第１軸１２ｃ・１２ｃを中心にして回動するときには、Ω字付勢部１３ｃの付勢力に抗して電池蓋１０を回動することにより電池蓋１０を容易に開けることができるので、Ω字付勢部１３ｃが回動の大きな障害になるということはない。
【０１０８】
この結果、開閉操作が簡単であると共に、電池蓋１０のスライドロックが外れ難く、かつ電池蓋１０のスライドロックが外れても充電池２０が直ぐに脱落するのを防止し得る電池蓋１０の開閉機構を提供することができる。
【０１０９】
また、本実施の形態の電池蓋１０の開閉機構では、対峙部材１２は、対峙部材側面板１２ｂ・１２ｂが対峙板１２ａの両端部から収納方向に延びて本体フレーム７の収容部側壁７ｂ・７ｂの第１軸穴７ｃ・７ｃにて軸支される平面形状略コの字状に形成される。
【０１１０】
すなわち、対峙部材１２は、本体フレーム７の両側面である収容部側壁７ｂ・７ｂに第１軸穴７ｃ・７ｃにて軸支される。このため、充電池２０が対峙板１２ａを押圧したとしても、対峙部材１２は強度的に強いものとなっているので、対峙板１２ａの撓みを防止することができる。このため、蓋体外観部１１のスライドロックが容易に外れるのを防止することができる。
【０１１１】
特に、本実施の形態のように、蓋体外観部１１を樹脂にて形成した場合には、電池蓋１０の開閉の繰り返しにより、樹脂が劣化して係止が外れ易くなるので、上記の効果が大きい。したがって、耐久性の点でも優れた電池蓋１０の開閉機構を提供することができる。
【０１１２】
また、蓋体外観部１１をスライド自在に支持するスライド支持板１３は、対峙板１２ａの端部に設けられる第２軸１２ｅ・１２ｅにて回動自在に軸支されている。
【０１１３】
これによって、電池蓋１０を第１軸１２ｃ・１２ｃを中心として開ける際に、蓋体外観部１１を第２軸１２ｅ・１２ｅを中心として回動することができるので、電池蓋１０を最大に開けたときに、蓋体外観部１１が機器本体２における本体キャビネット８の底部に接触するのを防止することができる。
【０１１４】
また、Ω字付勢部１３ｃが充電池２０を押圧している状態においては、Ω字付勢部１３ｃをスライド支持板１３に取り付けておくことによって、蓋体外観部１１のスライドロックが外れたときに、スライド支持板１３が第２軸穴１３ａ・１３ａを中心として回動することにより、Ω字付勢部１３ｃが収納方向外方に移動し、Ω字付勢部１３ｃの充電池２０への付勢力が低減する。このため、電池蓋１０をΩ字付勢部１３ｃの付勢力に抗して開ける場合に、容易に開けることができる。
【０１１５】
また、本実施の形態の電池蓋１０の開閉機構では、スライド支持板１３には、バネ部１３ｄが設けられ、電池蓋１０が本体フレーム７を閉塞した状態においては、スライド支持板１３は、バネ部１３ｄが弾性変形した状態で対峙板１２ａに当接される一方、蓋体外観部１１の本体キャビネット８との係止が解除されたときには、バネ部１３ｄの弾性変形が解除されてスライド支持板１３が第２軸穴１３ａ・１３ａにて回動する。
【０１１６】
このため、蓋体外観部１１のスライドロックが外れたときには、バネ部１３ｄによって、スライド支持板１３が第２軸穴１３ａ・１３ａにて直ちに回動し、このスライド支持板１３と一体になっている蓋体外観部１１も直ちに回動する。
【０１１７】
したがって、電池蓋１０を第１軸１２ｃ・１２ｃを中心として開ける際に、蓋体外観部１１を第２軸穴１３ａ・１３ａを中心として必ず回動することができるので、電池蓋１０を最大に開けたときに、蓋体外観部１１が本体キャビネット８の底部に接触するのを確実に防止することができる。
【０１１８】
また、本実施の形態の電池蓋１０の開閉機構では、被収納物は電池である。これによって、蓋体外観部１１をスライド支持板１３に対してスライド操作して本体キャビネット８の係止凹部８ａ・８ａへの係止を解除し、次いで、蓋体外観部１１及び対峙部材１２を第１軸１２ｃ・１２ｃを中心として回動させることによって、閉塞されていた本体フレーム７が開放される。
【０１１９】
したがって、電池としての充電池２０が収納される本体フレーム７からの充電池２０の取り出し操作、挿入操作を簡単に行うことができる。
【０１２０】
また、蓋体外観部１１のスライド方向と電池蓋１０を開閉するための回動方向が同じであるので、蓋体外観部１１をスライド操作することで、同一方向への回動を自在に行うことができ、ワンタッチ操作による開閉操作の向上が図られると共に、回動のための第１軸１２ｃ・１２ｃを本体フレーム７の収容部側壁７ｂ・７ｂにおける両側面に配置することで、回動支点の小型化、薄型化を図ることができ、特に、機器本体２としての厚み方向への薄型化に大きく役立っている。
【０１２１】
また、対峙部材１２のスライド支持板１３には、このスライド支持板１３に支持されかつ収納された電池を押圧する金属にてなるΩ字付勢部１３ｃが設けられる。そして、このΩ字付勢部１３ｃは充電池２０の電極端子としての機能を有し、対峙部材１２が第１軸１２ｃ・１２ｃを中心として回動しない状態を維持しているときにおいて、蓋体外観部１１の本体キャビネット８への係止が解除されて蓋体外観部１１がスライド支持板１３にスライドしたときにも充電池２０に当接している。
【０１２２】
このため、万一、蓋体外観部１１の本体キャビネット８へのスライドロックが外れても、Ω字付勢部１３ｃは充電池２０を押圧し続けており、Ω字付勢部１３ｃと充電池２０との接触を保持することができる。
【０１２３】
この結果、開閉操作が簡単であると共に、電池蓋１０のスライドロックが外れ難く、かつ電池蓋１０のスライドロックが外れても直ぐに充電池２０が脱落するのを防止し得る一方、機器本体２の小型化、薄型化を達成し得る電池蓋１０の開閉機構を提供することができる。
【０１２４】
また、電池蓋１０のスライドロックが外れても電源供給は断たれないので、携帯型機器における電池蓋１０等に採用して、信頼性の向上を図り得る好適な電池蓋１０の開閉機構を提供することができる。
【０１２５】
なお、本発明は、上記の実施の形態に限定されるものではなく、本発明の範囲内で種々の変更が可能である。例えば、上記実施の形態では、対峙部材１２は平面略コの字状となっており、それが本体フレーム７の両端から垂下する収容部側壁７ｂ・７ｂに軸支されて縦方向に回動するものとなっているが、特にこれに限定するものではない。すなわち、対峙部材１２の対峙板１２ａは充電池２０の収納方向に対峙していれば良いから、例えば、略コの字状の対峙部材１２を９０度回転させて、収納部の上下面に軸支し、これによって、対峙部材１２を横方向に回動させることも可能である。これによっても課題を解決することができるものとなる。
【０１２６】
また、上記Ω字付勢部１３ｃは、充電池２０のマイナス凹型電極端子２２・２２に常時当接させて電極端子の機能をもたせているが、必ずしもこれに限らず、被収容物が電池でない場合には、単に被収容物に当接するだけのものであってもよい。これによっても同様に課題を解決することができる蓋体の開閉機構を提供することができる。
【０１２７】
【発明の効果】
本発明の蓋体の開閉機構は、以上のように、蓋体は、上記収納部の開口部付近において被収納物の収納方向に対峙して立設される対峙部とこの対峙部の端部から収納方向に延びて収納部の側面に第１支点にて軸支されかつこの収納部の側面に平行に回動される側面板とを有する対峙部材と、対峙部材の対峙部における収納方向外側にてこの対峙部にスライド自在に支持されかつその端部にて機器本体に係止される蓋体外観部とを有するものである。
【０１２８】
それゆえ、対峙部材及び蓋体外観部のいずれも被収納物の収納方向と開閉方向及び係止方向とが異なっており、蓋体は、機器本体から開かない。
【０１２９】
また、開閉に際しては、蓋体外観部をスライドして端部における機器本体への係止を解除し、次いで、蓋体外観部及び対峙部材からなる蓋体の全体を、第１支点を中心として回動すれば良いだけである。
【０１３０】
したがって、開閉操作が簡単であると共に、蓋体のスライドロックが外れ難く、かつ蓋体のスライドロックが外れても直ぐに被収納物が脱落するのを防止し得る蓋体の開閉機構を提供することができるという効果を奏する。
【０１３１】
本発明の蓋体の開閉機構は、以上のように、上記記載の蓋体の開閉機構において、前記収納部の側面に形成された第１支点は、被収納物の厚み寸法内の位置に存在しているものである。
【０１３２】
それゆえ、回転モーメントを小さく抑えることができ、蓋体が容易に開くのを防止することができる。
【０１３３】
また、回転中心となる第１支点を被収納物の厚み寸法外の位置に設けたのでは機器本体が大きくなるが、本発明では、第１支点を被収納物の厚み寸法内の位置に設けているので、機器本体の小型化を図ることができる。
【０１３４】
この結果、蓋体のスライドロックが外れ難く、かつ蓋体のスライドロックが外れても直ぐに被収納物が脱落するのを防止し得る一方、機器本体の小型化、薄型化を達成し得る蓋体の開閉機構を提供することができるという効果を奏する。
【０１３５】
本発明の蓋体の開閉機構は、以上のように、上記記載の蓋体の開閉機構において、前記対峙部材の対峙部には、この対峙部に支持されかつ収納された被収納物を押圧する付勢手段が設けられているものである。
【０１３６】
それゆえ、対峙部材の付勢手段は常時被収納物を押圧している。この結果、蓋体のスライドロックが外れても容易に蓋体は開くことはない。
【０１３７】
また、付勢手段は常時被収納物を押圧することによって、蓋体外観部のスライドに対して抵抗となるので、蓋体のスライドロックが容易に外れるのを防止することができる。
【０１３８】
なお、被収納物を押圧しているのは付勢手段であるため、蓋体を第１支点を中心にして回動するときには、付勢手段の付勢力に抗して回動することにより蓋体を容易に開けることができるので、付勢手段が回動の大きな障害になるということはない。
【０１３９】
この結果、開閉操作が簡単であると共に、蓋体のスライドロックが外れ難く、かつ蓋体のスライドロックが外れても被収納物が直ぐに脱落するのを防止し得る蓋体の開閉機構を提供することができるという効果を奏する。
【０１４０】
本発明の蓋体の開閉機構は、以上のように、上記記載の蓋体の開閉機構において、前記対峙部材は、側面板が対峙部の両端部から収納方向に延びて収納部の両側面に第１支点にて軸支される平面形状略コの字状に形成される一方、対峙部材の対峙部には、蓋体外観部をスライド自在に支持するスライド支持板がこの対峙部の端部に設けられる第２支点にて回動自在に軸支されているものである。
【０１４１】
それゆえ、対峙部材は、収納部の両側面に第１支点にて軸支される平面形状略コの字状に形成されているので、被収納物が対峙部を押圧したとしても、対峙部材は強度的に強いものとなっており、対峙部を撓みを防止することができる。このため、蓋体外観部のスライドロックが容易に外れるのを防止することができるという効果を奏する。
【０１４２】
また、蓋体外観部をスライド自在に支持するスライド支持板は、この対峙部の端部に設けられる第２支点にて回動自在に軸支されている。
【０１４３】
これによって、蓋体を第１支点を中心として開ける際に、蓋体外観部を第２支点を中心として回動することができるので、蓋体を最大に開けたときに、蓋体外観部が機器本体に接触するのを防止することができるという効果を奏する。
【０１４４】
また、上記のように、付勢手段が被収納物を押圧している状態においては、付勢手段をスライド支持板に取り付けておくことによって、蓋体外観部のスライドロックが外れたときに、スライド支持板が第２支点を中心として回動することにより、付勢手段が収納方向外方に移動し、付勢手段の被収納物への付勢力が低減する。このため、蓋体を付勢手段の付勢力に抗して開ける場合に、容易に開けることができるという効果を奏する。
【０１４５】
本発明の蓋体の開閉機構は、以上のように、上記記載の蓋体の開閉機構において、前記スライド支持板には、弾性部材が設けられ、蓋体が収納部を閉塞した状態においては、上記スライド支持板は、弾性部材が弾性変形した状態で対峙部に当接される一方、前記蓋体外観部の機器本体との係止が解除されたときには、弾性部材の弾性変形が解除されてスライド支持板が第２支点にて回動するものである。
【０１４６】
それゆえ、蓋体外観部のスライドロックが外れたときには、弾性部材によって、スライド支持板が第２支点にて直ちに回動し、このスライド支持板と一体になっている蓋体外観部も直ちに回動する。
【０１４７】
したがって、蓋体を第１支点を中心として開ける際に、蓋体外観部を第２支点を中心として必ず回動することができるので、蓋体を最大に開けたときに、蓋体外観部が機器本体に接触するのを確実に防止することができるという効果を奏する。
【０１４８】
本発明の蓋体の開閉機構は、以上のように、上記記載の蓋体の開閉機構において、前記被収納物は電池であると共に、対峙部材の対峙部には、この対峙部に支持されかつ収納された電池を押圧する金属にてなる付勢手段が設けられ、かつこの付勢手段は、電池の電極端子としての機能を有し、対峙部材が第１支点を中心として回動しない状態を維持しているときにおいて蓋体外観部の機器本体への係止が解除されて蓋体外観部が対峙部にスライドしたときにも電池に当接しているものである。
【０１４９】
それゆえ、電池としての例えば充電池が収納される電池収納部を構成する収納部からの充電池の取り出し操作、挿入操作を簡単に行うことができる。
【０１５０】
また、電池を押圧する金属にてなる付勢手段は、電池の電極端子としての機能を有し、対峙部材が第１支点を中心として回動しない状態を維持しているときにおいて蓋体外観部の機器本体への係止が解除されて蓋体外観部が対峙部にスライドしたときにも電池に当接している。
【０１５１】
このため、万一、蓋体外観部の機器本体へのスライドロックが外れても、付勢手段は充電池を押圧し続けており、電極端子と充電池との接触を保持することができる。
【０１５２】
この結果、開閉操作が簡単であると共に、蓋体のスライドロックが外れ難く、かつ蓋体のスライドロックが外れても直ぐに電池が脱落するのを防止し得る一方、機器本体の小型化、薄型化を達成し得る蓋体の開閉機構を提供することができるという効果を奏する。
【０１５３】
また、蓋体のスライドロックが外れても電源供給は断たれないので、携帯型機器における電池蓋等に採用して、信頼性の向上を図り得る好適な蓋体の開閉機構を提供することができるという効果を奏する。
【図面の簡単な説明】
【図１】  本発明における電池蓋の開閉機構の実施の一形態を示す断面図であり、（ａ）は電池蓋が閉じた状態、（ｂ）は蓋体外観部のスライドロックが外れた状態、（ｃ）は蓋体外観部が第２軸を中心に回動した状態、（ｄ）は電池蓋を第１軸を中心に回動させる状態、（ｅ）は電池蓋が完全に開いた状態である。
【図２】  上記電池蓋の開閉機構が適用される携帯型ＭＤレコーダーを示す斜視図である。
【図３】  上記携帯型ＭＤレコーダーの背面に設けられた電池蓋を示す斜視図である。
【図４】  上記電池蓋の構造を示す分解斜視図である。
【図５】  上記電池蓋の蓋体外観部がスライド支持板のくの字突出部にてスライドがロックされる状態を示す断面図である。
【図６】  上記携帯型ＭＤレコーダーを、電池蓋の蓋体外観部を省略して示す背面図である。
【図７】  上記携帯型ＭＤレコーダーにおける収納部の構造を示す要部平面図である。
【図８】  従来の電池蓋の開閉機構が適用されている電子機器を示す斜視図である。
【図９】  上記の電池蓋の開閉機構を示す斜視図である。
【図１０】  上記の電池蓋の開閉機構を示すものであり、（ａ）は電池蓋が完全に閉塞された状態を示す要部平面図、（ｂ）は電池蓋がスライドした状態を示す要部平面図、（ｃ）は電池蓋が支点部を中心として回動した状態を示す要部平面図である。
【符号の説明】
１    携帯型ＭＤレコーダー（機器）
２    機器本体
３    操作ボタン
４    表示部
５    ディスク装着蓋
６    取出しツマミ
７    本体フレーム（収納部）
７ａ  収納部天板
７ｂ  収納部側壁（側面）
７ｃ  第１軸穴（第１支点）
７ｄ  円弧状案内穴
７ｅ  電池バネ
８    本体キャビネット（機器本体）
８ａ  係止凹部
１０    電池蓋（蓋体）
１１    蓋体外観部
１１ａ  山部
１１ｂ  スライド支持用爪
１１ｃ  係止凸部
１１ｄ  内側密着用凸部
１２    対峙部材
１２ａ  対峙板（対峙部）
１２ｂ  対峙部材側面板（側面板）
１２ｃ  第１軸（第１支点）
１２ｄ  突起
１２ｅ  第２軸（第２支点）
１２ｇ  対峙板被係止部
１３    スライド支持板（対峙部）
１３ａ  第２軸穴（第２支点）
１３ｃ  Ω字付勢部（付勢手段）
１３ｄ  バネ部（弾性部材）
１３ｆ  くの字突出部
２０    充電池（被収納物、電池）
２２    マイナス凹型電極端子
【図１】
0004183829.tif 000002
【図２】
0004183829.tif 000003
【図３】
0004183829.tif 000004
【図４】
0004183829.tif 000005
【図５】
0004183829.tif 000006
【図６】
0004183829.tif 000007
【図７】
0004183829.tif 000008
【図８】
0004183829.tif 000009
【図９】
0004183829.tif 000010
【図１０】
0004183829.tif 000011